(57)【要約】【課題】火災の熱によって防火壁が崩壊しないようにする。【解決手段】一対のパネル１，２が二重壁状に配置される。さらに、水供給手段３がパネル１，２と組み合わされ、水がパネル１，２間に供給され、充満し、水排出手段４がパネル１，２と組み合わされ、水がパネル１，２間から排出される。そして、水がパネル１，２間から排出されるとき、水がパネル１，２間に供給され、入れ替えられる。その供給量は排出量に等しい。したがって、パネル１，２間において、水が常時充満した状態に保たれる。【選択図】図１
2006342504.tif 000002
【特許請求の範囲】
【請求項１】
二重壁状に配置された一対のパネルと、
前記パネルと組み合わされ、水をパネル間に供給し、充満させる水供給手段とからなる防火壁。
【請求項２】
水排出手段が前記パネルと組み合わされ、水が前記パネル間から排出され、さらに、水が前記パネル間から排出されるとき、水が前記パネル間に供給され、入れ替えられ、その供給量は排出量に等しく、前記パネル間において、水が常時充満した状態に保たれるようにしたことを特徴とする請求項１に記載の防火壁。
【請求項３】
バルブが前記排出手段に設けられ、制御装置に接続され、温度センサが前記制御装置に接続されており、前記パネル間において、その水温が火災の熱で上昇し、設定値に達したとき、または防火壁設置建造物において、その室温が火災の熱で上昇し、設定値に達したとき、前記温度センサによってそれが検出され、その検出信号にもとづき、前記制御装置によって前記バルブが開かれ、水が排出されるようにしたことを特徴とする請求項２に記載の防火壁。
【請求項４】
前記パネルは伝熱性の高い金属からなることを特徴とする請求項３に記載の防火壁。
【請求項５】
前記パネルは上下方向にのび、前記パネルの上縁において、前記供給手段が前記パネル間に連通し、水が前記パネルの上縁から供給され、前記パネルの下縁において、前記排出手段が前記パネル間に連通し、水が前記パネルの下縁から排出されるようにしたことを特徴とする請求項４に記載の防火壁。
【請求項６】
複数のスペーサが前記パネル間に設けられ、前記各スペーサによって前記パネル間が仕切られ、複数の上下方向流路が形成されており、水が各上下方向流路に供給され、充満するようにしたことを特徴とする請求項５に記載の防火壁。
【請求項７】
前記供給手段は供給パイプからなり、前記パネルの上縁に沿ってのび、前記パネルと一体化され、前記排出手段は排出パイプからなり、前記パネルの下縁に沿ってのび、前記パネルと一体化されており、さらに、複数の供給孔が前記供給パイプに形成され、複数の排出孔が前記排出パイプに形成され、前記各スペーサにおいて、それぞれ複数の連通孔が形成されており、前記各供給孔が前記各上下方向流路に連通し、前記各排出孔が前記各上下方向流路に連通し、前記各連通孔によって前記各上下方向流路が連通することを特徴とする請求項６に記載の防火壁。
【発明の詳細な説明】
【技術分野】
【０００１】
この発明は、防火壁に関するものである。
【背景技術】
【０００２】
建造物の延焼を防止する防火壁としていくつかの構造のものが提案されている。たとえば、特開２００３−２８６７５１号公報（特許文献１）に記載されているものがそれである。
【０００３】
ところで、これまでに使用されていた防火壁では、不燃性または難燃性の材料でそれが形成されるだけであった。上記公報のものも同様である。したがって、火災が発生したとき、それによって防火壁が燃焼することはなくても、火災の熱によって防火壁が崩壊することはさけられず、崩壊したとき、防火壁によって延焼を防止することはできない。
【０００４】
したがって、この発明は、特別の構成の防火壁を新たに提供し、火災の熱によって防火壁が崩壊しないようにすることを目的としてなされたものである。
【特許文献１】特開２００３−２８６７５１号公報
【発明の開示】
【０００５】
この発明によれば、一対のパネルが二重壁状に配置される。さらに、水供給手段がパネルと組み合わされ、水がパネル間に供給され、充満する。
【０００６】
好ましい実施例では、水排出手段がパネルと組み合わされ、水がパネル間から排出される。さらに、水がパネル間から排出されるとき、水がパネル間に供給され、入れ替えられる。その供給量は排出量に等しい。したがって、パネル間において、水が常時充満した状態に保たれる。
【０００７】
さらに、バルブが排出手段に設けられ、制御装置に接続される。さらに、温度センサが制御装置に接続され、パネル間において、その水温が火災の熱で上昇し、設定値に達したとき、または防火壁設置建造物において、その室温が火災の熱で上昇し、設定値に達したとき、温度センサによってそれが検出される。さらに、その検出信号にもとづき、制御装置によってバルブが開かれ、排出される。
【０００８】
パネルは伝熱性の高い金属からなる。
【０００９】
パネルは上下方向にのびる。さらに、パネルの上縁において、供給手段がパネル間に連通し、水がパネルの上縁から供給される。さらに、パネルの下縁において、排出手段がパネル間に連通し、水がパネルの下縁から排出される。
【００１０】
さらに、複数のスペーサがパネル間に設けられ、各スペーサによってパネル間が仕切られ、複数の上下方向流路が形成される。そして、水が各上下方向流路に供給され、充満する。
【００１１】
さらに、供給手段は供給パイプからなり、パネルの上縁に沿ってのび、パネルと一体化される。排出手段は排出パイプからなり、パネルの下縁に沿ってのび、パネルと一体化される。さらに、複数の供給孔が供給パイプに形成され、複数の排出孔が排出パイプに形成され、各スペーサにおいて、それぞれ複数の連通孔が形成され、各供給孔が各上下方向流路に連通し、各排出孔が各上下方向流路に連通し、各連通孔によって各上下方向流路が連通する。
【発明を実施するための最良の形態】
【００１２】
以下、この発明の実施例を説明する。
【００１３】
図１はこの発明にかかる防火壁を示す。この防火壁は建造物に設置するためのものである。図２に示すように、この防火壁は一対のパネル１，２を有し、パネル１，２は間隔を置いて対向し、二重壁状に配置されている。パネル１，２は矩形状のもので、上下方向にのび、上縁、下縁および両側縁をもつ。さらに、パネル１，２は伝熱性の高い金属からなる。この実施例では、パネル１，２はステンレス製のものである。
【００１４】
この防火壁では、水供給手段がパネル１，２と組み合わされ、水がパネル１，２間に供給され、充満する。さらに、水排出手段がパネル１，２と組み合わされ、水がパネル１，２間から排出される。供給手段は供給パイプ３からなり、パネル１，２の上縁に沿ってのび、パネル１，２と一体化されている。排出手段は排出パイプ４からなり、パネル１，２の下縁に沿ってのび、パネル１，２と一体化されている。さらに、パネル１，２の上縁において、供給パイプ３がパネル１，２間に連通し、水がパネル１，２の上縁から供給される。さらに、パネル１，２の下縁において、排出パイプ４がパネル１，２間に連通し、水がパネル１，２の下縁から排出される。
【００１５】
供給パイプ３は角パイプであり、ステンレス製のものである。さらに、ジョイント５、ソケット６、ニップル７および取付金具８が供給パイプ３に設けられ、ホース９がジョイント５にはめ合わされ、ホース９によって水源と供給パイプ３が接続されている。水源は水道水栓パイプからなる。一方、排出パイプ４も角パイプであり、ステンレス製のものである。さらに、ジョイント１０、バルブ１１、ニップル１２および取付金具１３が排出パイプ４に設けられており、ホースをジョイント１０にはめ合わせることができる。
【００１６】
したがって、バルブ１１が開かれると、水がパネル１，２間から排出され、排出パイプ４およびバルブ１１を通り、ホースに導かれる。さらに、たとえば、水がホースを通り、下水に放流される。一方、水道水栓パイプは常時開かれた状態に保たれる。したがって、水がパネル１，２間から排出されるとき、水が水道水栓パイプから吐出され、ホース９および供給パイプ３を通り、パネル１，２間に供給され、入れ替えられる。
【００１７】
水の供給量Ｑ１と排出量Ｑ２の関係については、ジョイント１０、バルブ１１およびニップル１２の口径があらかじめ選定されており、その最小口径はジョイント５、ソケット６およびニップル７の口径よりも小さい。これによって排出量Ｑ２が制限され、排出量Ｑ２が供給量Ｑ１を越えることはない。反対に、供給量Ｑ１が排出量Ｑ２を越えることはないのは当然であり、結局のところ、供給量Ｑ１は排出量Ｑ２に等しい。したがって、パネル１，２間において、水が常時充満した状態に保たれる。
【００１８】
Ｑ１＝Ｑ２
【００１９】
さらに、この防火壁では、バルブ１１が制御装置１４に接続されている。さらに、パネル１，２の両側縁において、連結金具１５，１６によって各パネル１，２が連結され、パネル１，２間が閉じられており、温度センサ１７，１８が連結金具１５，１６に取り付けられている。温度センサ１７，１８はパネル１，２間に突出する。さらに、温度センサ１７，１８が制御装置１４に接続されており、パネル１，２間において、その水温が火災の熱で上昇し、設定値に達したとき、温度センサ１７，１８によってそれが検出される。たとえば、設定値が４０°Ｃ〜５０°Ｃに設定されており、水温がその値に達したとき、温度センサ１７，１８によってそれが検出される。さらに、その検出信号にもとづき、制御装置１４によってバルブ１１が開かれ、水が排出され、供給され、入れ替えられる。
【００２０】
さらに、この防火壁では、図３に示すように、複数のスペーサ１９がパネル１，２間に設けられ、各スペーサ１９によってパネル１，２間が仕切られ、複数の上下方向流路２０が形成されている。さらに、図４に示すように、複数の供給孔２１が供給パイプ３に形成されており、各供給孔２１が各上下方向流路２１に連通する。供給孔２１は下向きのものである。したがって、水が各供給孔２１を通り、各上下方向流路２０に供給され、充満する。同様に、複数の排出孔が排出パイプ４に形成されており、各排出孔が各上下方向流路２０に連通する。排出孔は上向きのものである。したがって、水が各排出孔を通り、各上下方向流路２０から排出される。
【００２１】
さらに、各供給孔２１の大きさについては、それがホース９およびジョイント５から離れるに従って漸次増大する。したがって、水が各供給孔２１を通り、各上下方向流路２０に供給されるとき、各上下方向流路２０において、水が均一に供給される。各排出孔の大きさについても、それがジョイント１０から離れるに従って漸次増大する。したがって、水が各排出孔を通り、各上下方向流路２０から排出されるとき、各上下方向流路２０において、水が均一に排出される。さらに、図５に示すように、各スペーサ１９において、それぞれ複数の連通孔２２が形成されており、各連通孔２２によって各上下方向流路２０が連通する。したがって、水が各連通孔２２を通り、各上下方向流路２０に導かれる。
【００２２】
したがって、この防火壁の場合、水がパネル１，２間に供給され、充満する。したがって、火災が発生しても、水によってパネル１，２が冷却され、火災の熱によって防火壁が崩壊することはない。したがって、防火壁によって延焼を防止することができる。
【００２３】
さらに、パネル１，２間において、その水温が火災の熱で上昇するおそれがあるが、この防火壁では、水がパネル１，２間から排出され、パネル１，２間に供給され、入れ替えられる。したがって、水温が過度に上昇することはない。しかも、パネル１，２間において、水が常時充満した状態に保たれる。したがって、効果的にパネル１，２が冷却され、好ましい。
【００２４】
さらに、この防火壁では、パネル１，２間において、その水温が火災の熱で上昇し、それが設定値に達したとき、制御装置１４によってバルブ１１が開かれ、水が排出され、供給され、入れ替えられる。したがって、水温が設定値を越えることはない。
【００２５】
さらに、パネル１，２は伝熱性の高い金属からなる。したがって、パネル１，２がその表面まで冷却され、火災の熱によってパネル１，２が変形または溶融することもない。パネル１，２、供給パイプ３および排出パイプ４はステンレス製であり、それが錆びることもない。
【００２６】
なお、この実施例では、パネル１，２間において、その水温が設定値に達したとき、温度センサ１７，１８によってそれが検出されるようにしたものを説明したが、防火壁設置建造物において、その室温が火災の熱で上昇し、設定値に達したとき、温度センサによってそれが検出され、その検出信号にもとづき、制御装置によってバルブ１１が開かれるようにしてもよい。さらに、水源に水道水栓パイプを使用し、水道水栓パイプによって水を供給するようにしたものを説明したが、水源にポンプを使用し、ポンプによって水を供給するようにしてもよい。さらに、水をパネル１，２間から排出し、下水に放流するようにしたものを説明したが、水をパネル１，２間から排出し、タンクに回収し、再使用することも考えられる。
【００２７】
さらに、この防火壁は建造物に設置するためのものであるが、この発明は他の防火壁に適用することもできる。たとえば、金庫などの構造物において、同様の構造のものによって防火壁を構成してもよい。
【図面の簡単な説明】
【００２８】
【図１】この発明の実施例を示す正面図である。
【図２】図１の防火壁の縦断面図である。
【図３】図１の防火壁の横断面図である。
【図４】図２の供給パイプの拡大図である。
【図５】図１のスペーサの側面図である。
【符号の説明】
【００２９】
１，２  パネル
３  供給パイプ
４  排出パイプ
１１  バルブ
１４  制御装置
１７，１８  温度センサ
１９  スペーサ
２０  上下方向流路
２１  供給孔
２２  連通孔
【図１】
2006342504.tif 000003
【図２】
2006342504.tif 000004
【図３】
2006342504.tif 000005
【図４】
2006342504.tif 000006
【図５】
2006342504.tif 000007